(57)【要約】      （修正有）【課題】バンド緊締器の提供。【解決手段】バンド２０、ケース１０を具え、該ケースは上部１１と底部１２を具え、上部と底部の一側は壁１３で連接され、該壁に空間１３１が凹設され、第１保持部と第２保持部が上部と底部の間に設けられ且つ上部と底部を接続し、第１保持部１４と第２保持部１５は該空間に連通する穿孔１４１，１４２，１５１，１５２を具えている。該バンドの一部が物品に掛けられて、その二つの自由端がケースの空間より挿入され、並びに第１保持部と第２保持部に通されて第１保持部と第２保持部に掛けられ、空間より穿出され、良好な緊締機能を提供できる。【選択図】図１
0003103581.tif 000002
【実用新案登録請求の範囲】
【請求項１】
バンドとケースを具え、
該ケースは上部と底部を具え、上部と底部の一側は壁で連接され、該壁に空間が凹設され、第１保持部と第２保持部が該ケースの上部と底部の間に設けられ且つ上部と底部を接続し、第１保持部と第２保持部は該空間に連通する穿孔を具え、
該バンドが物品に掛けられて、その二つの自由端がケースの空間に挿入され、並びに第１保持部と第２保持部に通されて第１保持部と第２保持部に掛けられ、空間に再度挿通されて空間より穿出され、良好な緊締機能を提供するよう形成されたことを特徴とする、バンド緊締器。
【請求項２】
請求項１記載のバンド緊締器において、前記壁と第１保持部及び前記壁と第２保持部の間に回転柱が設けられたことを特徴とする、バンド緊締器。
【請求項３】
請求項１記載のバンド緊締器において、前記ケースの上部と底部に前記空間に連通する貫通孔が設けられたことを特徴とする、バンド緊締器。
【請求項４】
請求項１記載のバンド緊締器において、前記バンドが靴紐孔に通されることを特徴とする、バンド緊締器。
【請求項５】
請求項１記載のバンド緊締器において、前記バンドが帽子に通されることを特徴とする、バンド緊締器。
【請求項６】
請求項１記載のバンド緊締器において、前記バンドがパンツ帽子に通されることを特徴とする、バンド緊締器。
【請求項７】
請求項１記載のバンド緊締器において、前記第１保持部の穿孔間、及び第２保持部の穿孔間に隔柱が設けられたことを特徴とする、バンド緊締器。
【請求項８】
請求項１記載のバンド緊締器において、前記第１保持部と第２保持部が前記壁に対して所定の角度の斜面を呈することを特徴とする、バンド緊締器。
【請求項９】
請求項１記載のバンド緊締器において、前記第１保持部と第２保持部に二つ以上の孔が設置されたことを特徴とする、バンド緊締器。
【考案の詳細な説明】
【技術分野】
【０００１】
本考案は一種のバンド緊締器に関する。
【背景技術】
【０００２】
図１２に示されるのは周知のバンドクリップの断面図である。図示されるように、このバンドクリップのケース２内にスプリング４が設けられ、押圧手段３に対して外向きに付勢し、押圧手段３とケース２に通されたバンド５を限位する。その釈放操作は、ただ該押圧手段３を押してスプリング４を圧迫し、ケース２の孔２０１と押圧手段３の孔３０１の位置の差を押圧手段３の移動により無くして対応する位置となし、バンド５を自由に通せるようにする、というものである。しかしこのような構造は、スプリング４の弾性疲労によりバンド５を挟持する機能が失われやすく、且つスプリング４の弾力とバンド５の引っ張り方向は垂直とされ、このためバンド５が過大な外力で引き動かされた場合の抑止力に欠ける。さらに、押圧手段３は外力の誤触によりクリップが駆動されてバンドを釈放しやすく、ゆえにこのような構造は良好とは言えない。
【考案の開示】
【考案が解決しようとする課題】
【０００３】
本考案は一種のバンド緊締器を提供することを課題とし、それは周知のバンドクリップの、構造が複雑で、部品が過多で、製造上、組立上相当に不便であり、且つクリップのバネが弾性疲労によりバンド抑止の機能を喪失しやすく、誤触によりバンドを釈放しやすいという欠点を解決するものとする。
【０００４】
本考案のバンド緊締器は、バンド、ケースを具え、該ケースは上部と底部を具え、上部と底部の一側は壁で連接され、該壁に空間が凹設され、第１保持部と第２保持部が上部と底部の間に設けられ且つ上部と底部を接続し、第１保持部と第２保持部は該空間に連通する穿孔を具えている。該バンドの一部が物品に掛けられて、その二つの自由端がケースの空間より挿入され、並びに第１保持部と第２保持部に通されて第１保持部と第２保持部に掛けられ、空間より穿出され、良好な緊締機能を提供できる。本考案は単一の構造手段でバンド緊締の機能と目的を達成でき、且つ誤触の状況を発生させない。
【課題を解決するための手段】
【０００５】
請求項１の考案は、バンドとケースを具え、
該ケースは上部と底部を具え、上部と底部の一側は壁で連接され、該壁に空間が凹設され、第１保持部と第２保持部が該ケースの上部と底部の間に設けられ且つ上部と底部を接続し、第１保持部と第２保持部は該空間に連通する穿孔を具え、
該バンドが物品に掛けられて、その二つの自由端がケースの空間に挿入され、並びに第１保持部と第２保持部に通されて第１保持部と第２保持部に掛けられ、空間に再度挿通されて空間より穿出され、良好な緊締機能を提供するよう形成されたことを特徴とする、バンド緊締器としている。
請求項２の考案は、請求項１記載のバンド緊締器において、前記壁と第１保持部及び前記壁と第２保持部の間に回転柱が設けられたことを特徴とする、バンド緊締器としている。
請求項３の考案は、請求項１記載のバンド緊締器において、前記ケースの上部と底部に前記空間に連通する貫通孔が設けられたことを特徴とする、バンド緊締器としている。
請求項４の考案は、請求項１記載のバンド緊締器において、前記バンドが靴紐孔に通されることを特徴とする、バンド緊締器としている。
請求項５の考案は、請求項１記載のバンド緊締器において、前記バンドが帽子に通されることを特徴とする、バンド緊締器としている。
請求項６の考案は、請求項１記載のバンド緊締器において、前記バンドがパンツ帽子に通されることを特徴とする、バンド緊締器としている。
請求項７の考案は、請求項１記載のバンド緊締器において、前記第１保持部の穿孔間、及び第２保持部の穿孔間に隔柱が設けられたことを特徴とする、バンド緊締器としている。
請求項８の考案は、請求項１記載のバンド緊締器において、前記第１保持部と第２保持部が前記壁に対して所定の角度の斜面を呈することを特徴とする、バンド緊締器としている。
請求項９の考案は、請求項１記載のバンド緊締器において、前記第１保持部と第２保持部に二つ以上の孔が設置されたことを特徴とする、バンド緊締器としている。
【考案の効果】
【０００６】
本考案のバンド緊締器は単一のケースに第１保持部及び第２保持部を設け、且つ第１保持部及び第２保持部に穿孔を設けてバンドの環状部を物品（例えば靴、帽子、パンツ等）に通し、バンドの二つの自由端をケースの空間に挿通し、並びに第１保持部と第２保持部の穿孔に挿通してから該空間より引き出し、並びにバンドの一辺或いは両辺を引っ張ることで、環状部により物品を緊締して、弛みの状況を発生させないようにしている。環状部が外力を受けて引っ張られる時、環状部がバンドの自由端をケースの回転柱に押しつけ、自由端を移動不能とし、環状部を拡張或いは縮減不能となし、バンドの弛みを発生させず、これにより物品を緊締する機能を達成する。
【考案を実施するための最良の形態】
【０００７】
図１は本考案の斜視図である。図示されるように、本考案のバンド緊締器１００はバンド２０を通して掛けるケース１０を具えている。
【０００８】
図２は本考案の立体部分断面図、図３は本考案の正面図中央横断面図である。本考案のケース１０は上部１１と該上部１１に対応する底部１２を具えている。上部１１と底部１２の一側は壁１３で連接されている。該壁１３の両側に第１保持部１４と第２保持部１５が設けられている。該第１保持部１４と第２保持部１５は該壁１３に対して所定角度の斜面を呈する。
【０００９】
該壁１３に内向きに空間１３１が凹設されている。第１保持部１４に該空間１３１に連通する穿孔１４１、１４２が設けられている。第２保持部１５にも該空間１３１に連通する穿孔１５１、１５２が設けられている。そのうち第１保持部１４と第２保持部１５には二つ以上の孔を設置可能で、これらの孔は方形、或いは円形とされうる。
【００１０】
該バンド２０の自由端は壁１３の空間１３１より挿入され、並びに第１保持部１４の穿孔１４１よりケース１０外に引き出され、さらに穿孔１４２より該空間１３１内に挿通され、バンド２０が第１保持部１４に掛けられる。バンド２０は空間１３１内に挿通された後、さらに第２保持部１５の穿孔１５２よりケース１０外に引き出され、穿孔１５１より該空間１３１に挿通され、並びに壁１３よりケース１０外に引き出され、こうしてバンド２０が第２保持部１５に掛けられる。そのうちバンド２０は扁平な長方形断面或いは円形断面を具備するものとされる。
【００１１】
図３は本考案の水平断面図である。図示されるように、バンド２０は第１保持部１４と第２保持部１５に掛けられ、壁１３の空間１３１よりケース１０外に引き出される。そのうち壁１３と第１保持部１４の間の角部に回転柱１３２が設けられ、壁１３と第２保持部１５の間の角部にも回転柱１３３が設けられ、且つ穿孔１４１と穿孔１４２の間に隔柱１４３が設けられ、穿孔１５１と穿孔１５２の間に隔柱１５３が設けられ、バンド２０は二つの隔柱１４３の間を通り且つケース１０の一側で環状部２１を形成し、該環状部２１は所定の物品に掛けられる。実際の使用状態の時、環状部２１が先に物品周囲に掛けられ、並びにバンド２０の二つの自由端が第１保持部１４、第２保持部１５にそれぞれ掛けられる。
【００１２】
図４は本考案の動作表示図である。図示されるように、バンド２０の環状部２１が物品２００に掛けられている。バンド２０の二つの自由端２２がケース１０に対して横向き且つケース１０から離れるように引き出される時、環状部２１が漸次縮小し且つ物品２００を緊締し、バンド２０を外向きに引っ張るほど物品２００がきつく縛られる。バンド２０は隔柱１４３、１５３の横を通り、回転柱１３２に掛けられて外向きに引き出され、これによりバンド２０を掛ける方向が完全に改変され、即ちバンド２０の一辺或いは両辺が引っ張られる時、物品２００を緊締し、バンド２０の弛みを発生しない。
【００１３】
図５は本考案のもう一つの動作表示図である。図示されるように、バンド２０の環状部２１のケース１０に近い両端部２１１が引っ張りを受ける状況を示す。該両端部２１１が外力を受け且つケース１０に対して横向きに外向きに引っ張られる時、両端部２１１はバンド２０の圧接部２２１を回転柱１３２、１３３に当接させ並びに制圧し、自由端２２を移動不能とし、環状部２１を拡張或いは縮減不能とし、即ちケース１０にバンド２０のゆるむ状況を発生させず、これにより完全に物品２００を緊締する機能を達成する。
【００１４】
図６は本考案のもう一つの動作表示図であり、バンド２０の環状部２１が漸次拡張する状況を示す。ケース１０が物品２００から離れ、且つ環状部２１が自由端２２を回転柱１３２、１３３に押しつけず、これにより環状部２１が拡張されてバンド２０が物品２００に対して弛んだ状態とされる。
【００１５】
図７は本考案の別の実施例を示し、ケース１０の上部１１と底部１２に空間１３１を貫通する二つの貫通孔１１１が設けられ、長過ぎるバンド２０が該ケース１０に通され並びに保持されバンド２０を外観を良くする効果を具え、またバンド２０が縦向きにケース１０に通された後、外力による引っ張りを受けても弛みを発生しないようにする効果を有する。
【００１６】
図８は本考案の実際の使用状態図（一）であり、バンド緊締器１００が靴３０に取り付けられた使用状態を示す。上述のバンドをバンド緊締器に通して保持する動作により、バンド２０はケース１０に通され並びに保持され、且つバンド２０の環状部２１が靴３０の靴紐孔３１に通され、こうして使用者が靴を着用後に蝶結びをする必要を無くし、バンド２０の自由端２２を外向きに引っ張れば緊締でき、バンド２０の自由端が長過ぎる時は貫通孔１１１にバンド２０を挿通することができる。
【００１７】
図９は本考案の実際の使用状態図（二）であり、バンド緊締器１００が靴３０に取り付けられ並びに釈放位置にある状態を示す。その操作方式は、ケース１０を靴３０に対して外向きに引き離せばよく、構造が簡単で、操作に便利である。
【００１８】
図１０は本考案の実際の使用状態図（三）であり、バンド緊締器１００が帽子４０に取り付けられた状態を示し、上述のバンドを通して保持する動作により、バンド２０の環状部２１を帽子４０に通し、バンド２０を帽子４０を縛りつける顎紐としている。
【００１９】
図１１は本考案の実際の使用状態図（四）であり、バンド緊締器１００がパンツ５０に取り付けられ、その動作原理は上述と同じであるため説明は省略する。
【図面の簡単な説明】
【００２０】
【図１】本考案の斜視図である。
【図２】本考案の立体部分断面図である。
【図３】本考案の正面図中央横断面図である。
【図４】本考案の動作表示図である。
【図５】本考案のもう一つの動作表示図である。
【図６】本考案のさらにもう一つの動作表示図である。
【図７】本考案の別の実施例図である。
【図８】本考案の実際の使用状態表示図（一）である。
【図９】本考案の実際の使用状態表示図（二）である。
【図１０】本考案の実際の使用状態表示図（三）である。
【図１１】本考案の実際の使用状態表示図（四）である。
【図１２】本考案のバンドクリップの断面図である。
【符号の説明】
【００２１】
２  ケース                ２０１  孔                ３  押圧手段
３０１  孔                ４  スプリング            ５  バンド
１００  バンド緊締器      １０  ケース              １１  上部
１１１  貫通孔            １２  底部                １３  壁
１３１  空間              １３２  回転柱            １３３  回転柱
１４  第１保持部          １４１  穿孔              １４２  穿孔
１４３  隔柱              １５  第２保持部          １５１  穿孔
１５２  穿孔              １５３  隔柱              ２０  バンド
２１  環状部              ２１１  端部              ２２  自由端
２２１  圧接部            ３０  靴                  ３１  靴紐孔
４０  帽子                ５０  パンツ              ２００  物品
【図１】
0003103581.tif 000003
【図２】
0003103581.tif 000004
【図３】
0003103581.tif 000005
【図４】
0003103581.tif 000006
【図５】
0003103581.tif 000007
【図６】
0003103581.tif 000008
【図７】
0003103581.tif 000009
【図８】
0003103581.tif 000010
【図９】
0003103581.tif 000011
【図１０】
0003103581.tif 000012
【図１１】
0003103581.tif 000013
【図１２】
0003103581.tif 000014